【手続補正書】
【提出日】平成27年7月22日(2015.7.22)
【手続補正１】
【補正対象書類名】特許請求の範囲
【補正対象項目名】全文
【補正方法】変更
【補正の内容】
【特許請求の範囲】
【請求項１】
各画像と、画像配置領域内に配置する画像の数以上設定された配置基準点とを対応付ける対応付け手段と、
前記画像が前記画像配置領域に配置される際の大きさ及びその画像に対応付け手段により対応付けられた配置基準点の位置に基づいて、画像に設定された画像基準点を配置可能な領域を決定する決定手段と、
前記決定手段により決定された前記配置可能な領域内に前記画像基準点を配置することにより、前記画像配置領域に前記画像を配置する配置手段と、
を備えることを特徴とする画像配置制御装置。
【請求項２】
前記画像配置領域に配置する各画像のサイズを決定する第２決定手段をさらに備えることを特徴とする請求項１に記載の画像配置制御装置。
【請求項３】
前記第２決定手段は、決定後の画像のサイズと当該画像の元のサイズの縦横比の割合が同一となるように各画像のサイズを決定することを特徴とする請求項２に記載の画像配置制御装置。
【請求項４】
前記対応付け手段は、前記画像配置領域に二以上の画像を配置する際に、前記第２決定手段により設定されたサイズの大きい画像順に前記画像と前記配置基準点とを対応付けることを特徴とする請求項２又は３に記載の画像配置制御装置。
【請求項５】
前記決定手段は、前記画像配置領域に二以上の画像を配置する際に、前記第２決定手段により設定されたサイズの大きい画像順に前記配置可能な領域を決定することを特徴とする請求項２〜４のいずれか一項に記載の画像配置制御装置。
【請求項６】
各画像を画像配置領域に配置する際の基準点となる画像基準点を各画像に設定する第１設定手段をさらに備えることを特徴とする請求項１〜５のいずれか１項に記載の画像配置制御装置。
【請求項７】
前記第１設定手段は、各画像の中心を前記画像基準点として設定することを特徴とする請求項６に記載の画像配置制御装置。
【請求項８】
前記第１設定手段は、各画像に設定されたオブジェクトの中心を前記画像基準点として設定することを特徴とする請求項６に記載の画像配置制御装置。
【請求項９】
前記画像配置領域内に、配置基準点を設定する第２設定手段をさらに備えることを特徴とする請求項１〜８のいずれか１項に記載の画像処理装置。
【請求項１０】
前記第２設定手段は、前記画像配置領域に二以上の画像を配置する際に、前記画像配置領域内に設定された配置基準点を当該画像配置領域内に等間隔に設定することを特徴とする請求項９に記載の画像配置制御装置。
【請求項１１】
前記画像配置領域に二以上の画像を配置する際に前記画像配置領域内に設定された配置基準点の対応付け順の優先度を設定する第３設定手段をさらに備え、
前記第３設定手段は、前記対応付け手段が一の画像を前記配置基準点に対応付けをした際に、当該一の画像が縦長の場合は当該画像に対応付けられた配置基準点の上下方向に設けられた配置基準点の優先度を低く設定し、当該画像が横長の場合は当該画像に対応付けられた配置基準点の左右方向に設けられた配置基準点の優先度を低く設定することを特徴とする請求項１〜１０のいずれか一項に記載の画像配置制御装置。
【請求項１２】
前記決定手段は、前記画像配置領域が長方形であり、前記画像配置領域内に設定された複数の前記配置基準点を結ぶと長方形となる場合、
前記配置基準点を結んだ長方形の頂点に対応する前記配置基準点に対応付けられた画像を前記画像配置領域の角に内接させた際の当該画像に設定された画像基準点と、配置基準点とを結ぶ直線を対角線とする長方形を第１配置領域として設定し、この第１配置領域に基づいて前記配置可能な領域を決定し、
前記配置基準点を結んだ長方形の頂点以外に位置する前記配置基準点に対応づけられた画像を、前記画像配置領域の前記配置基準点に近い辺に内接させた際の画像に設定された画像基準点と、配置基準点とを結ぶ直線を第１配置領域として設定し、この第１配置領域に基づいて前記配置可能な領域を決定することを特徴とする請求項１〜１１のいずれか一項に記載の画像配置制御装置。
【請求項１３】
前記決定手段は、前記配置基準点を結んだ長方形の頂点にあたる前記配置基準点に対応付けられた画像を前記画像配置領域の角に内接させた際の当該画像の画像基準点の位置が、前記配置基準点と前記画像配置領域の角を結ぶ直線を対角線とする長方形の外である場合、又は前記配置基準点を結んだ長方形の頂点以外の前記配置基準点に対応づけられた画像を前記画像配置領域の前記配置基準点に近い辺に内接させた際の画像の画像基準点の位置が、前記配置基準点と前記辺を垂直に結ぶ直線上以外に存在する場合、
前記第１配置領域を前記配置基準点側に縮小した第２配置領域を設定し、この第２配置領域に基づいて前記配置可能な領域を決定することを特徴とする請求項１２に記載の画像配置制御装置。
【請求項１４】
前記決定手段は、画像が対応付けられた第１配置基準点の隣に、画像が対応付けられていない第２配置基準点が存在する場合、前記第１配置基準点に対応付けられた画像の第２の配置領域を前記第２配置基準点の方向に拡張して、前記配置可能な領域とすることを特徴とする請求項１３に記載の画像配置制御装置。
【請求項１５】
前記決定手段は、前記画像配置領域における前記第１配置基準点の座標と前記第２配置基準点の座標との差から、前記第１配置基準点に対応付けられた画像の幅の半分の値を引いた数値分、第２の配置領域を前記第２配置基準点の方向に拡張することを特徴とする請求項１４に記載の画像配置制御装置。
【請求項１６】
前記決定手段は、前記画像配置領域が長方形であり、前記画像配置領域内に設定された複数の前記配置基準点を結ぶと前記画像配置領域の辺と平行な直線となる場合、
前記配置基準点に対応付けられた画像を前記画像配置領域の角に内接させたときの第１画像基準点と、前記配置基準点に対応付けられた画像を反対側の角に内接させたときの第２画像基準点とを結ぶ直線を一辺とし、前記配置基準点を通り前記直線と平行な直線を一辺とする長方形を第１配置領域として設定し、この第１配置領域に基づいて前記配置可能な領域を決定することを特徴とする請求項１〜１１のいずれか一項に記載の画像配置制御装置。
【請求項１７】
前記決定手段は、前記配置基準点に対応付けられた画像を前記画像配置領域の各角に内接させた各画像基準点を頂点とする長方形を第１配置領域として設定し、この第１領域に基づいて前記配置可能な領域を決定することを特徴とする請求項１〜１６のいずれか一項に記載の画像配置制御装置。
【請求項１８】
前記配置手段により配置された画像の向きを変更する向き変更手段をさらに備えることを特徴とする請求項１〜１７に記載の画像配置制御装置。
【請求項１９】
各画像と、画像配置領域内に配置する画像の数以上設定された配置基準点とを対応付ける対応付け工程と、
前記画像が前記画像配置領域に配置される際の大きさ及びその画像に対応付け工程において対応付けられた配置基準点の位置に基づいて、画像に設定された画像基準点を配置可能な領域を決定する決定工程と、
前記決定工程において決定された前記配置可能な領域内に前記画像基準点を配置することにより、前記配置領域に前記画像を配置する配置工程と、
を備えることを特徴とする画像配置制御方法。
【請求項２０】
請求項１〜１８のいずれか１項に記載の画像配置装置の各手段としてコンピュータを機能させるためのプログラム。
【手続補正２】
【補正対象書類名】明細書
【補正対象項目名】０００７
【補正方法】変更
【補正の内容】
【０００７】
上述のような課題を解決するための本発明の画像配置制御装置は、各画像と、画像配置領域内に配置する画像の数以上設定された配置基準点とを対応付ける対応付け手段と、前記画像が前記画像配置領域に配置される際の大きさ及びその画像に対応付け手段により対応付けられた配置基準点の位置に基づいて、画像に設定された画像基準点を配置可能な領域を決定する決定手段と、前記決定手段により決定された前記配置可能な領域内に前記画像基準点を配置することにより、前記画像配置領域に前記画像を配置する配置手段と、を備える。